(57)【要約】【課題】  簡単な構成にて排水経路の逆流防止用の立ち上がり部の配置空間を別途に確保する必要を無くし、小型薄型化を図りながら洗浄槽内の空間を広くできる食器洗い機を提供する。【解決手段】  食器類を洗浄する洗浄槽の内部に、食器類を洗浄する洗浄水を噴射する複数の洗浄ノズルを備え、洗浄ノズルの内の少なくとも一つは、洗浄槽の背面に固定される背面固定洗浄ノズル１７にて構成し、この背面固定洗浄ノズル１７の内部に洗浄水を洗浄槽の外部に排出する排水経路の一部となる排水通路２１を一体的に形成した。【選択図】      図４
2005342425.tif 000002
【特許請求の範囲】
【請求項１】
食器類を洗浄する洗浄槽の内部に、食器類を洗浄する洗浄水を噴射する複数の洗浄ノズルを備え、洗浄ノズルの内少なくとも一つは、洗浄槽の背面に固定されるとともに、内部に洗浄水を洗浄槽の外部に排出する排水経路の一部が一体的に形成されていることを特徴とする食器洗い機。
【請求項２】
食器類を洗浄する洗浄槽の内部に、食器類を洗浄する洗浄水を噴射する複数の洗浄ノズルを備え、洗浄ノズルの内少なくとも一つは、洗浄槽の背面において、背面近傍の底面に設けられた爪形状部に係合することで洗浄槽に固定されていることを特徴とする食器洗い機。
【発明の詳細な説明】
【技術分野】
【０００１】
本発明は、洗浄ノズルより食器類に向けて洗浄水を噴射して食器類を洗浄する食器洗い機に関するものである。
【背景技術】
【０００２】
従来、この種の食器洗い機は、図１０及び図１１に示すように構成されていた。以下、その構成について説明する。図１０、図１１に示すように、食器洗い機１は、内部に洗浄槽２が設けられており、この洗浄槽２の底部に排水孔３が設けられ、この排水孔３の他側部に連通したポンプ室にモータ４によって駆動される洗浄ポンプ５が配設され、洗浄ポンプ５により洗浄水を洗浄槽２の内部に循環させるように構成されている。この循環は、洗浄水が排水孔３から洗浄ポンプ５に吸い込まれ、洗浄ポンプ５より洗浄槽２の内底部に配設された洗浄ノズル６に供給され、この洗浄ノズル６から食器類７に向けて噴射され、食器類７を洗浄した後、再び排水孔３に戻るという経路で行われる。
【０００３】
洗浄ノズル６と洗浄槽２の底部との間には、洗浄水加熱用のヒータ８が配設されている。また、洗浄ノズル６の上方には、食器類７を整然と配置することで食器類７に対して洗浄水を効果的に噴射し、食器類７の洗浄を効率的に行えるように構成した食器かご９が設置されている。
【０００４】
また、洗浄槽２は前方に開口しており、その前面部に、前方に開閉自在な蓋１０を取り付けられている。排水ポンプ１１は、排水孔３から洗浄水を吸い込み、排水ホース１２を通して洗浄水を機外に排出するように構成されてする。排水ホース１２には、逆流防止用の立ち上がり部１３が設けられ、この立ち上がり部１３が洗浄槽２の背面と食器洗い機１の外殻後壁１ａとの間に配設されている（例えば、特許文献１参照）。
【特許文献１】特開２００１−２１８７２１号公報
【発明の開示】
【発明が解決しようとする課題】
【０００５】
上記のような構成の従来の食器洗い機１では、排水ホース１２の逆流防止用の立ち上がり部１３を配設する空間として、洗浄槽２の背面と食器洗い機１の外殻後壁１ａの間に隙間が設けられているが、日本の狭い台所に設置する食器洗い機１においては、食器洗い機１の外形寸法を変えずに食器かご９に収容する食器類７の数を増すことが強く求められている。このために、洗浄槽２内を広くし、そのほかの空間を可能な限り小さくする必要があるという課題があった。
【０００６】
本発明は、上述の課題を解決するため、簡単な構成にて排水経路の逆流防止用の立ち上がり部の配置空間を別途に確保する必要を無くし、小型薄型化を図りながら洗浄槽内の空間を広くできる食器洗い機を提供することを目的としている。
【課題を解決するための手段】
【０００７】
本発明の食器洗い機は、食器類を洗浄する洗浄槽の内部に、食器類を洗浄する洗浄水を噴射する複数の洗浄ノズルを備え、洗浄ノズルの内少なくとも一つは、洗浄槽の背面に固定されるとともに、内部に洗浄水を洗浄槽の外部に排出する排水経路の一部が一体的に形成されているものである。
【０００８】
この構成によると、洗浄槽内の背面に固定された洗浄ノズルに排水経路の一部を一体的に形成しているので、簡単な構成にて排水経路の立ち上げり部を洗浄槽内に形成することができ、洗浄槽の背面と外殻後面との間に立ち上がり部の配置隙間を設ける必要がないので、小型薄型化を図りながら洗浄槽内容積を十分確保することができ、より多くの食器類を収容可能で使い勝手の良い食器洗い機を提供することができる。
【０００９】
また、本発明の食器洗い機は、食器類を洗浄する洗浄槽の内部に、食器類を洗浄する洗浄水を噴射する複数の洗浄ノズルを備え、洗浄ノズルの内少なくとも一つは、洗浄槽の背面において、背面近傍の底面に設けられた爪形状部に係合することで洗浄槽に固定されているものである。
【００１０】
この構成によると、洗浄槽内の奥に配置されるため、ねじによる固定作業が極めて困難な洗浄ノズルの固定を、爪形状部に係合させるという簡単な作業にて固定することができる。
【発明の効果】
【００１１】
本発明の食器洗い機によると、洗浄ノズルの内少なくとも一つを、洗浄槽の背面に固定するとともに、その内部に排水経路の一部が一体的に形成されていることで、簡単な構成にて排水経路の立ち上げ部を洗浄槽内に形成でき、洗浄槽を広くできてより多くの食器類が収容可能となり、使い勝手が向上する。
【発明を実施するための最良の形態】
【００１２】
以下、本発明の食器洗い機の一実施形態について、図１〜図９参照して説明する。なお、図１０、図１１を参照して説明した従来例の食器洗い機と同じ構成要素は同一符号を付して説明を省略する。また、本発明は本実施形態に限定されるものではない。
【００１３】
本実施形態の食器洗い機１は、図１〜図３に示すように、洗浄槽１４の底面上に左回転洗浄ノズル１５と右回転洗浄ノズル１６が配設され、食器かご９の左半分と右半分に向けてそれぞれ下面から洗浄水を噴射するよう構成されている。また、洗浄槽１４の背面には背面固定洗浄ノズル１７が固定して配設されている。
【００１４】
背面固定洗浄ノズル１７には、図１及び図４〜図９に示すように、左右に背面左洗浄ノズル１８と背面右洗浄ノズル１９が設けられるとともに、それぞれに連通する左通水路１８ａと右通水路１９ａが内部に設けられている。また、背面固定ノズル１７には、流入口２１ａと流出口２１ｂがその下端で開口するとともにそれらの間が上方に倒立Ｕ字状ないしΩ状に立ち上がる排水通路２１が一体的に設けられ、排水経路の逆流防止用の立ち上がり部を形成している。排水通路２１の流入口２１ａは排水ホース１２を介して排水ポンプ１１に接続され、流出口２１ｂには洗浄水を機外に排出する機外排水ホース２２が接続されている。
【００１５】
洗浄ポンプ５の吐出口は切換装置２０を介して左回転洗浄ノズル１５と右回転洗浄ノズル１６と背面固定洗浄ノズル１７の左通水路１８ａと右通水路１９ａに選択的に連通接続するように構成されている。本実施形態の切換装置２０は、左回転洗浄ノズル１５、右回転洗浄ノズル１６、背面固定洗浄ノズル１７の右通水路１９ａ、左通水路１８ａの順番に切り換える動作を繰り返し、左回転洗浄ノズル１５からの噴射、右回転洗浄ノズル１６からの噴射、背面右洗浄ノズル１９からの噴射、背面左洗浄ノズル１８からの噴射の４パターンの洗浄水噴射をこの順番に繰り返すように構成されている。
【００１６】
また、背面固定洗浄ノズル１７には、図５、図８、図９に示すように、角穴２３を開けたフランジ部２４が横に設けられており、その角穴２３に洗浄槽１４の底面の背面近傍に設けられた爪形状部２５が係合することで、背面固定洗浄ノズル１７を洗浄槽１４に固定できるように構成されている。
【００１７】
次に、以上の構成の食器洗い機１の動作を説明する。食器かご９に食器類７を配置して洗浄槽１４内に収容し、運転を開始すると、給水弁（図示せず）が開き、洗浄槽１４内に所定量給水された後、洗浄ポンプ５が駆動される。これにより洗浄ポンプ５で加圧された洗浄水が切換装置２０へ送られる。
【００１８】
切換装置２０は、左回転洗浄ノズル１５、右回転洗浄ノズル１６、背面固定ノズル１７の右通水路１９ａ、背面固定洗浄ノズル１７の左通水路１８ａの順番に切り換えて洗浄水を送給する。それによって、左回転洗浄ノズル１５からの噴射、右回転洗浄ノズル１６からの噴射、背面右洗浄ノズル１９からの噴射、背面左洗浄ノズル１８からの噴射の４パターンの洗浄水噴射が順番に繰り返され、少ない洗浄水でより多くの食器類７を洗浄することができる。
【００１９】
洗い行程が終了すると、排水ポンプ１１が洗浄水を機外へ排出する。このとき、背面固定洗浄ノズル１７に、排水経路の逆流防止用の立ち上がり部を形成する排水通路２１が一体的に設けられているので、部品点数を増やすことなく十分な立ち上げ高さを得ることができ、機外排水ホース２２から排水が逆流するのが防止される。しかも、排水通路２１は背面固定洗浄ノズル１７に一体的に設けられているので、洗浄槽１４の背面と食器洗い機１の外殻後壁との間に排水経路の立ち上がり部を配設する隙間空間を設ける必要がなく、その分洗浄槽１４の内部空間を大きくでき、より多くの食器類が収容可能となり、使い勝手が向上する。
【００２０】
また、背面固定洗浄ノズル１７には角穴２３をあけたフランジ部２４が横に設けられているので、洗浄槽１４の底面の背面近傍に設けられた爪形状部２５を角穴２３に係合させることで、背面固定洗浄ノズル１７を簡単作業で洗浄槽１４に固定することができる。
【産業上の利用可能性】
【００２１】
本発明の食器洗い機は、洗浄槽の背面に固定される洗浄ノズル内部に排水経路の一部を一体的に形成したことで、簡単な構成にて排水経路の立ち上がり部を洗浄槽内に形成でき、従来の技術によるものより洗浄槽を広くすることができ、より多くの食器類が収容可能で使い勝手の良い食器洗い機に利用できる。
【図面の簡単な説明】
【００２２】
【図１】本発明の一実施形態の食器洗い機の正面から見た部分断面図である。
【図２】同食器洗い機の側断面図である。
【図３】同食器洗い機の洗浄水経路を示す別の側断面図である。
【図４】同食器洗い機の背面固定ノズルの正面図である。
【図５】同背面固定ノズルの部分拡大図である。
【図６】同背面固定ノズルの洗浄水経路を示す側断面図である。
【図７】同背面固定ノズルの排水経路を示す側断面の部分拡大図である。
【図８】同背面固定ノズルの洗浄水及び排水経路を示す底面図である。
【図９】同背面固定ノズルの固定部を示す部分側断面図である。
【図１０】従来例の食器洗い機の正面から見た部分断面図である。
【図１１】同食器洗い機の側断面図である。
【符号の説明】
【００２３】
１  食器洗い機
１２  排水ホース（排水経路）
１４  洗浄槽
１５  左回転洗浄ノズル
１６  右回転洗浄ノズル
１７  背面固定洗浄ノズル
２１  排水通路（排水経路）
２２  機外排水ホース（排水経路）
２３  角穴
２５  爪形状部
【図１】
2005342425.tif 000003
【図２】
2005342425.tif 000004
【図３】
2005342425.tif 000005
【図４】
2005342425.tif 000006
【図５】
2005342425.tif 000007
【図６】
2005342425.tif 000008
【図７】
2005342425.tif 000009
【図８】
2005342425.tif 000010
【図９】
2005342425.tif 000011
【図１０】
2005342425.tif 000012
【図１１】
2005342425.tif 000013